(57)【要約】      （修正有）【課題】ガーゼ・包帯・リボンなどのロール巻き布地の鋏を用いる切断機において、鋏が支点棒を中心として回転する際に、遠心力で開脚しすぎることを防ぐ。【解決手段】鋏２７に折り曲げ式アーム部１ａ、１ｂと受け皿を設置した切断機１３ｃで、キックバネ28（または蝶バネ）を鋏の各刃の外側に溶接し、キックバネの丸い中心部分に鋏の支点棒を通す。これにより切断後に鋏が適度に開脚するとともに、次の切断のための先端出しの操作も容易になる。【選択図】図１
2010222774.tif 000002
【特許請求の範囲】
【請求項１】
各刃にキックバネを設置した鋏を支点棒において回転する折り曲げ式アーム部に設置と受け皿を設置した切断機であって、
前記折り曲げ式アーム部を回転させると共に前記折り曲げ式アーム部が布を迂回させ前記受け皿が前記折り曲げ式アーム部の回転を停止し、前記鋏で前記布を切断後、前記折り曲げ式アーム部を逆回転させ前記折り曲げ式アーム部と前記受け皿が離れ、迂回の前記布を自由落下させる特徴の先端出し切断機。
【請求項２】
各刃にキックバネを設置した鋏を支点棒において回転する折り曲げ式アーム部に設置と受け面を設置した切断機であって、
前記折り曲げ式アーム部を回転させると共に前記折り曲げ式アーム部が布を迂回させ前記受け面が前記折り曲げ式アーム部の回転を停止し、前記鋏で前記布を切断後、前記折り曲げ式アーム部を逆回転させ前記折り曲げ式アーム部と前記受け面が離れ、迂回の前記布を自由落下させる特徴の先端出し切断機。
【発明の詳細な説明】
【技術分野】
【０００１】
当該発明は、ガーゼ・包帯・布リボンなどの「布地の切断機」に関する。
「布地の切断機」は病院・消防署などでの「包帯切断機」や一般用・お土産屋などの「布リボン切断機」などの使用例が考えられる。
【背景技術】
【０００２】
先端出し機能が付いているだけの「ペーパーカッター」または「テープカッター」である。
【０００３】
なお、本願発明に関する公知技術として次の特許文献1、２、３を挙げられる。
【先行技術文献】
【特許文献】
【０００４】
【特許文献１】特開平１０-１３８１９１号公報
【特許文献２】特開２００２‐２４８０６４号公報
【特許文献３】実開平５-８１１６０号公報
【発明の概要】
【発明が解決しようとする課題】
【０００５】
支点棒(2)を中心として回転する際に、遠心力で開脚しすぎることを防ぐ。
【課題を解決するための手段】
【０００６】
各刃にキックバネを設置した鋏を支点棒において回転する折り曲げ式アーム部に設置と受け皿を設置した切断機であって、
前記折り曲げ式アーム部を回転させると共に前記折り曲げ式アーム部が布を迂回させ前記受け皿が前記折り曲げ式アーム部の回転を停止し、前記鋏で前記布を切断後、前記折り曲げ式アーム部を逆回転させ前記折り曲げ式アーム部と前記受け皿が離れ、迂回の前記布を自由落下させる特徴の先端出し切断機。
【０００７】
各刃にキックバネを設置した鋏を支点棒において回転する折り曲げ式アーム部に設置と受け面を設置した切断機であって、
前記折り曲げ式アーム部を回転させると共に前記折り曲げ式アーム部が布を迂回させ前記受け面が前記折り曲げ式アーム部の回転を停止し、前記鋏で前記布を切断後、前記折り曲げ式アーム部を逆回転させ前記折り曲げ式アーム部と前記受け面が離れ、迂回の前記布を自由落下させる特徴の先端出し切断機。
【発明の効果】
【０００８】
鋏(27)は通常時お互いの刃が開脚していることが望ましく、且つ支点棒(2)を中心として回転する際に、遠心力で開脚しすぎることを防ぐ。
【０００９】
台所・洗面所・病院等で「布地」用の「先端出し切断機」の形態が可能である。
「紙」「布」何れのリボンの切断用としても、「先端出し切断機」の形態が可能である。
【図面の簡単な説明】
【００１０】
【図１】『実施例１』の全体図（通常時）
【図２】『実施例１』の全体図（布の切断瞬間図）
【図３】『実施例２』の全体図（通常時）
【発明を実施するための形態】
【００１１】
以下、本発明を２つの実施例において図面に基づき詳細な説明をする。
【実施例１】
【００１２】
１）捺印を行わない、２）布の切断機である（図１参照）。
【００１３】
片手でハンドル部(16)を押しながら、もう片方の手で布(18)を切り取ろうとする形態である。（図９参照）
布地を切断するのに鋏(27)を使用している。
【００１４】
鋏(27)は通常時お互いの刃が開脚していることが望ましく、且つ支点棒(2)を中心として回転する際に、遠心力で開脚しすぎることを防ぐために、キックバネ(28)（または蝶バネ：以下同様）を各刃の外側に溶接し、キックバネの丸い中心部分に中心棒を通してある。
図１、図２参照。（実施例２も同様）
【００１５】
捺印を行わないので、浸透印とスポンジを折り曲げ式アーム部(1a)に設置する必要が無い形態である。図１参照。
【００１６】
包帯、布リボンなどの布地を切断した後に、先端出しが行われて、次回に切断を行う際、先端を指で掴むのに、効果を発揮する実施例１の形態である。
【実施例２】
【００１７】
１）捺印を行わず、２）布の先端出し切断機である(13e)。
【００１８】
引きレバー(17)を手前に引き上げて、布(18)の経路が迂回され、またボールベアリング(19)による更なる布(18)の先端への供給量により、先端出しが行われる仕組みである。
【００１９】
捺印を行わないので、浸透印とスポンジを折り曲げ式アーム部(1a)に設置する必要が無い形態である。図３参照。
【００２０】
以上、２つの「実施例（実施形態）」を簡単に総括すると、
実施例１＝１）捺印しない、２）押しハンドル式、先端出しする布の切断機。
実施例２＝１）捺印しない、２）引きレバー式、先端出しする布の切断機。
である。
【符号の説明】
【００２１】
１aは折り曲げ式アーム部
１bは折り曲げ式アーム部
２は支点棒
３は刃
４は受け皿
６は弾性部材
12は受け面
13cは『実施例１』の切断機
13eは『実施例２』の切断機
16はハンドル部
17は引きレバー
18は布（布地）
22は弾性部材
27は鋏
28はキックバネ（または蝶バネ）
【図１】
2010222774.tif 000003
【図２】
2010222774.tif 000004
【図３】
2010222774.tif 000005
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
各刃にキックバネを設置した鋏を支点棒にて回転する折り曲げ式アーム部に設置するとともに、受け皿を設置した切断機であって、
前記折り曲げ式アーム部を回転させると共に前記折り曲げ式アーム部が布を迂回させ前記受け皿が前記折り曲げ式アーム部の回転を停止し、前記鋏で前記布を切断後、前記折り曲げ式アーム部を逆回転させ前記折り曲げ式アーム部と前記受け皿が離れ、迂回の前記布を自由落下させる特徴の先端出し切断機。
【請求項２】
各刃にキックバネを設置した鋏を支点棒にて回転する折り曲げ式アーム部に設置するとともに、受け面を設置した切断機であって、
前記折り曲げ式アーム部を回転させると共に前記折り曲げ式アーム部が布を迂回させ前記受け面が前記折り曲げ式アーム部の回転を停止し、前記鋏で前記布を切断後、前記折り曲げ式アーム部を逆回転させ前記折り曲げ式アーム部と前記受け面が離れ、迂回の前記布を自由落下させる特徴の先端出し切断機。
【請求項３】
前記折り曲げ式アーム部に弾性部材を設置した請求項１記載の先端出し切断機。
【請求項４】
前記折り曲げ式アーム部に弾性部材を設置した請求項２記載の先端出し切断機。
【手続補正２】
【補正対象書類名】明細書
【補正対象項目名】００２１
【補正方法】変更
【補正の内容】
【００２１】
１aは折り曲げ式アーム部
１bは折り曲げ式アーム部
２は支点棒
４は受け皿
12は受け面
13cは『実施例１』の切断機
13eは『実施例２』の切断機
16はハンドル部
17は引きレバー
18は布（布地）
19はボールベアリング
22は弾性部材
27は鋏
28はキックバネ（または蝶バネ）
【手続補正３】
【補正対象書類名】図面
【補正対象項目名】図２
【補正方法】変更
【補正の内容】
【図２】
2010222774.tif 000006
【手続補正４】
【補正対象書類名】図面
【補正対象項目名】図３
【補正方法】変更
【補正の内容】
【図３】
2010222774.tif 000007